(57)【要約】【課題】倉庫の保管スペース及びトラックの荷台スペースを大幅に節減できると共に、引っ越し現場となる家屋内における階段の上り下り等の労力を半減でき、しかも衣類が置かれた室内を無駄に占有することがない。【解決手段】段ボール紙等の厚手の紙基材で製作された外箱と、同様な紙基材で製作されかつ外箱に収納可能な内箱と、ハンガーを吊すための外箱用及び内箱用の懸吊バーとを含む。外箱及び内箱は、底面、背面、及び左右の側面が閉塞され、かつ上面及び前面が開閉可能な縦型角筒状に形成されると共に、ハンガーに掛けられた衣類の肩幅に対応する前後方向長と、ハンガーに掛けられた衣類の着数に対応する左右方向長と、ハンガーに掛けられた衣類の背丈に対応する高さ方向長とを有する。外箱及び内箱の左右側面板上縁部の互いに対向する内面には、懸吊バーの両端部を係止する係止部を有する棚部材が突設される。【選択図】  図１
2007118976.tif 000002
【特許請求の範囲】
【請求項１】
段ボール紙等の厚手の紙基材で製作された外箱と、同様な紙基材で製作されかつ外箱に収容可能な内箱と、ハンガーを吊すための外箱用及び内箱用の懸吊バーとを含み、
外箱及び内箱は、いずれも、底面、背面、及び左右の側面が閉塞され、かつ上面及び前面が開閉可能な縦型角筒状に形成されると共に、ハンガーに掛けられた衣類の肩幅に対応する前後方向長と、ハンガーに掛けられた衣類の着数に対応する左右方向長と、ハンガーに掛けられた衣類の背丈に対応する高さ方向長とを有し、
外箱及び内箱の左右側面板上縁部の互いに対向する内面には、懸吊バーの両端部を係止する係止部を有する棚部材が突設されている、ことを特徴とする衣類収納装置。
【請求項２】
外箱の前面を構成する前面板は、その頂部から足下に至るまで、外箱前面と左右側面とが交わる左右稜線のいずれかに沿う垂直ヒンジ線を軸として手前に回動させつつ開放可能とされている、ことを特徴とする請求項１に記載の衣類収納装置。
【請求項３】
内箱の前面を構成する前面板は、左右の稜線間を斜めに横断する斜めヒンジ線を軸として斜め手前に回動させつつ開放可能とされている、ことを特徴とする請求項２又は３に記載の衣類収納装置。
【請求項４】
外箱の左右の棚部材に設けられた左右の係止部同士の間隔と内箱の左右の棚部材に設けられた左右の係止部同士の間隔とはほぼ同一とされている、ことを特徴とする請求項１〜３のいずれかに記載の衣類収納装置。
【請求項５】
外箱及び内箱の棚部材は、左右の側面板の上縁部に形成された舌片を、左右の側面板に沿って内側に折り畳みつつ巻き込むことにより形成され、かつ折り畳み線に跨って形成した開口が折り畳み後に凹状係止部となる、ことを特徴とする請求項１〜４のいずれかに記載の衣類収納装置。
【発明の詳細な説明】
【技術分野】
【０００１】
この発明は、引っ越し作業等に好適な衣類収納装置に係り、特に、ハンガーに掛けた衣類を吊り下げ状態のままで収納可能とした段ボール紙製等の簡易衣類箱を備えた衣類収納装置に関する。
【背景技術】
【０００２】
ハンガーに掛けた衣類を吊り下げ状態のままで収納可能とした段ボール紙製の簡易衣類箱を備えた衣類収納装置は、従来より知られている（例えば、特許文献１参照）。この種の衣類収納装置は、住居の引っ越し作業等に広く採用されている。
【０００３】
この衣類収納装置は、段ボール紙等の厚手の紙基材で製作された簡易衣類箱と、この簡易衣類箱の上部に横架されるボール紙製の懸吊部材とを有する。この懸吊部材には、衣類が掛けられたハンガーが多数吊り下げされる。
【０００４】
簡易衣類箱は、底面、背面、及び左右の側面が閉塞され、かつ上面及び前面が開閉可能な縦型角筒状に形成されると共に、ハンガーに掛けられた衣類の肩幅に対応する前後方向長（奥行き）と、ハンガーに掛けられた衣類の着数に対応する左右方向長（間口）と、ハンガーに掛けられた衣類の背丈に対応する高さ方向長（丈）とを有する。外箱及び内箱の左右側面板上縁部の互いに対向する内面には、懸吊バーの両端部を係止する係止部を有する棚部材が突設される。
【特許文献１】特開平１０−１７５６８８号公報
【発明の開示】
【発明が解決しようとする課題】
【０００５】
この種の簡易衣類箱は、ハンガーに掛けられた衣類を吊り下げた状態のままで収納するものであるから、固形物を密に詰め込む一般の段ボール箱とは異なり、完成状態においてはかなりの剛性を要する構造体となり、展開状態の段ボール紙の状態から、これを組み立てて簡易衣類箱を作り上げるには、縁部同士をステープル加工で止着する等かなりの手間が掛かる。
【０００６】
そのため、引っ越し業者は、倉庫への保管、引っ越し現場へのトラック輸送、現場における家屋内への搬入は、いずれも組立完成状態の簡易衣類箱のままで行なうのが通例であり、これにより倉庫の保管スペース及びトラックの荷台スペースの増大、引っ越し家屋への搬入作業における運び込み工数の増大が問題とされている。
【０００７】
殊に、通常の引っ越し１件あたりでは、少なくとも数個の簡易衣類箱が必要であることに加えて、一般民家の階段は比較的に狭く急坂であるのが通例であるから、幅５０ｃｍ及び高さ１ｍ数十ｃｍ程度の簡易衣類箱を担いで何度も上り下りする作業はなかなか骨の折れる作業であり、加えて、２階に担ぎ上げられた簡易衣類箱は室内を一杯に占有してしまうから、作業スペースの確保にも苦慮する結果となる。
【０００８】
なお、サイズの異なる２種類の簡易衣類箱を用意して、大きい方の簡易衣類箱内に小さい方の簡易衣類箱を収容するためには、大きい方の簡易衣類箱よりも小さい方の簡易衣類箱の方が、全ての寸法（奥行き、間口、高さ）を小さめに設計しなければならない。
【０００９】
前述のように、簡易衣類箱の左右方向長（間口）はハンガーに掛けられた衣類の着数に、高さ方向長はハンガーに掛けられた衣類の丈に、それぞれ対応するものであるから、間口及び高さについては想定される衣類の収納着数並びに丈に応じて、様々な寸法に設計される。しかしながら、簡易衣類箱の前後方向長（奥行き）はハンガーに掛けられた衣類の肩幅に対応するものであるから、通常の用途を想定する限り、これを変更する利益は考えにくい。
【００１０】
この発明は、従来の衣類収納装置における上述の問題点に着目してなされたものであり、その目的とするところは、引っ越し業者等における倉庫への保管及び引っ越し現場へのトラック輸送に際して、倉庫の保管スペース及びトラックの荷台スペースを大幅に節減することができると共に、引っ越し現場となる家屋内における階段の上り下り等の労力を半減することができ、しかも衣類が置かれた室内を無駄に占有することがないようにした衣類収納装置を提供することにある。
【００１１】
この発明のさらに他の目的並びに作用効果については、明細書の以下の記述を参照することにより、当業者であれば容易に理解されるであろう。
【課題を解決するための手段】
【００１２】
以上の技術的課題を解決するために、本発明に係る衣類収納装置は、次のように構成されている。
【００１３】
すなわち、本発明の衣類収納装置は、段ボール紙等の厚手の紙基材で製作された外箱と、同様な紙基材で製作されかつ外箱に収納可能な内箱と、ハンガーを吊すための外箱用及び内箱用の懸吊バーとを含んでいる。ここで、外箱及び内箱は、いずれも、底面、背面、及び左右の側面が閉塞され、かつ上面及び前面が開閉可能な縦型角筒状に形成されると共に、ハンガーに掛けられた衣類の肩幅に対応する前後方向長（奥行き）と、ハンガーに掛けられた衣類の着数に対応する左右方向長（間口）と、ハンガーに掛けられた衣類の背丈に対応する高さ方向長（丈）とを有する。外箱及び内箱の左右側面板上縁部の互いに対向する内面には、懸吊バーの両端部を係止する係止部を有する棚部材が突設されている。
【００１４】
このような構成によれば、例えば、外箱よりも内箱の方が一回り小さくなるように両者のサイズ関係を決めておけば、外箱に内箱を収納した状態では、従前の簡易衣類箱ほぼ１個分のスペースに実質的に２個の簡易衣装箱を納めることができ、引っ越し業者等における倉庫への保管及び引っ越し現場へのトラック輸送に際して、倉庫の保管スペース及びトラックの荷台スペースを大幅に節減するすることができる。
【００１５】
また、引っ越し現場となる住居内においては、外箱に内箱を収容したままで室内を移動するようにすれば、簡易衣類箱を運び込むための階段の上り下りの労力も半減することに加えて、実際に衣類を収納する段になるまで、外箱に内箱を収容したままにしておけば、引っ越し作業中の室内を無駄に占有することもなくなり、その分だけ作業スペースが確保される。
【００１６】
本発明の好ましい実施の態様にあっては、外箱の前面を構成する前面板は、その頂部から足下に至るまで、外箱前面と左右側面とが交わる左右稜線のいずれかに沿う垂直ヒンジ線を軸として手前に回動させつつ開放可能となるように構成してもよい。
【００１７】
このような構成によれば、前面板を開放することにより、外箱から内箱を水平方向手前に引きずり出すことが可能となるから、女性等の比較的に身長の低い作業者であっても、引っ越し現場において外箱から内箱を容易に取り出すことができる。すなわち、ハンガーに掛けた衣類の出し入れだけを考慮した従前の簡易衣類箱は、前面板の上半分程度しか手前に開かないため、このような構造の外箱に内箱を収納しようとすると、内箱を一旦持ち上げないと、外箱に収容乃至外箱から取り出すことが困難となる。
【００１８】
本発明の好ましい実施態様にあっては、内箱の前面を構成する前面板は、左右の稜線間を斜めに横断する斜めヒンジ線を軸として斜め手前に回動させつつ開放可能となるように構成してもよい。
【００１９】
このような構成によれば、前面板を開放することにより、衣類が掛けられたハンガーを手前上部から取出及び挿入可能となるから、特に、比較的ややに背丈の低い内箱における衣類収納作業が容易となる。
【００２０】
本発明の好ましい実施態様にあっては、外箱の左右の棚部材に設けられた左右の係止部同士の間隔と内箱の左右の棚部材に設けられた左右の係止部同士の間隔とはほぼ同一となるように構成してもよい。
【００２１】
このような構成によれば、外箱と内箱とで同一規格（例えば、長さ）の懸吊バーを使用可能となるから、製造業者乃至販売業者において懸吊バーの在庫管理が容易となり、外箱と内箱とで異なる規格の懸吊バーを必要とする場合に比べて、在庫の無駄を回避できる。
【００２２】
本発明の好ましい実施態様にあっては、外箱及び内箱の棚部材は、左右の側面板の上縁部に形成された舌片を、左右の側面板に沿って内側に折り畳みつつ巻き込むことにより形成され、かつ折り畳み線に跨って形成した開口が折り畳み後に凹状係止部となるように構成してもよい。
【００２３】
このような構成によれば、棚部材となる舌片と左右の側面板とが同一の段ボール紙から一体的に形成されるため、棚部材と左右の側面板とを別部品とする場合のように、棚部材を左右の側面板の上縁部内面に固着するための作業（接着作業やステープル作業）が不要となると共に、別部品を固着する場合に比べ懸吊バーの支持強度も向上する。加えて、折り畳み線に跨って形成した開口が折り畳み後にそのまま凹状係止部となるため、懸吊バーの両端部を安定的に支持することができる。
【発明の効果】
【００２４】
本発明に係る衣類収納装置によれば、例えば、外箱よりも内箱の方が一回り小さくなるように両者のサイズ関係を決めておけば、外箱に内箱を収納した状態では、従前の簡易衣類箱ほぼ１個分のスペースに実質的に２個の簡易衣類箱を納めることができ、引っ越し業者等における倉庫への保管及び引っ越し現場へのトラック輸送に際して、倉庫の保管スペース及びトラックの荷台スペースを大幅に節減することができる。
【００２５】
また、引っ越し現場となる住居内においては、外箱に内箱を収納したままで室内を移動するようにすれば、簡易衣類箱を運び込むための階段の上り下りの労力も半減することに加えて、実際に衣類を収納する段になるまで、外箱に内箱を収納したままにしておけば、引っ越し作業中の室内を無駄に占有することもなくなり、その分だけ作業スペースが確保される。
【発明を実施するための最良の形態】
【００２６】
以下に、この発明に係る衣類収納装置の好適な実施の一形態を添付図面を参照しつつ詳細に説明する。
【００２７】
本発明に係る衣類収納装置の分解斜視図が図１に示されている。同図に示されるように、この衣類収納装置は、断ボール紙などの厚手の紙基材で製作された外箱１と、同様な紙基材で製作されかつ外箱１に収納可能な内箱２と、ハンガーを吊るすための外箱用懸吊バー３（図２参照）と、同様にハンガーを吊るすための内箱用の懸吊バー４（図３参照）とを含んで構成される。
【００２８】
外箱１及び内箱２は、いづれも、底面、背面、および左右の側面が閉塞され、かつ上面及び前面が開閉可能な縦型角筒上に形成されると共に、ハンガーに掛けられた衣類の肩幅に対応する前後方向長（奥行き）と、ハンガーに掛けられた衣類の着数に対応する左右方向長（間口）と、ハンガーに掛けられた衣類の背丈に対応する高さ方向長（丈）とを有する。
【００２９】
そして、外箱１及び内箱２の左右側面板上縁部の互いに対向する内面には、のちに詳細に説明するように、懸吊バーの両端部を係止する係止部をそれぞれ有する棚部材が突設されている。
【００３０】
外箱の開放状態を示す斜視図が図２に示されている。同図に示されるように、外箱１の前面板は足元近くの高さに設定された水平切断線１０１を境にして、その下部に位置する固定領域１０２と上部に位置する可動領域１０３とに２分割されている。固定領域１０２は、その左右両側縁部を左右の側面板１１１，１１９としっかりと結合され、開閉不能とされている。これに対して、可動領域１０３は、その右側縁部において側面版１１１と切り離されると共に、前面板と左側面板１１９とが交わる左側稜線に沿う垂直ヒンジ線１０４を軸として、手前に回動させつつ開閉可能となされている。可動領域１０３の右側縁部には、差込片１０５が一体に形成されると共に、その基部にはスリット１０６が形成されている。
【００３１】
前面板の可動領域１０３の上部には水平ヒンジ線１０７を介して上面板１０８が連設されている。この上面板１０８の自由端縁部には差し込み片１０９が、またその基部にはスリット１１０が形成されている。
【００３２】
右側面板１１１の中央部には指掛け孔１１２が形成されると共に、その前縁部には前部右フラップ１１５が形成されている。また、右側面版１１１の上部の前側には、上部右フラップ１１６が、また上部後側の内面には、係止部１１８を有する右棚部材１１７が突設されている。
【００３３】
同様にして、左側面版１１９の中央部には指掛け孔１２０が形成されると共に、その上部前側には上部左フラップ１２１が、上部後側には係止部１２３を有する左棚部材１２２が突設されている。なお、左側面板１１９と背面板１２５とは結合代１２４を介してステープル加工で結合されている。
【００３４】
右側面板１１１の上部内面から突設された右棚部材１１７と左側面板１１９の上部内面から突設された左棚部材１２２とは互いに対向するように位置決めおり、それぞれの係止部１１８，１２３には、後に詳細に説明するように、外箱用懸吊バー３の両端部が差し込み片を介して係止される。
【００３５】
外箱用懸吊バー３は、最大吊り下げハンガー数に対応した長さを有する金属製パイプ３０１と、この金属製パイプ３０１の両端部に溶接されたL字金具３０２，３０３とを有する。これらのL字金具３０２，３０３の垂直部が、右差込片３０４及び左差込片３０５として機能する。これらの差込片３０４，３０５は、のちに詳細に説明するよう、右棚部材１１７及び左棚部材１２２の係止部１１８，１２３に差込み固定される。
【００３６】
外箱１を閉じた状態にするためには、まず、前部右フラップ１１５を内側へ折り曲げ、その上から、同様に内側へ折り曲げた前面板の可動領域１０３を重ね、差込片１０５をスリット１１４に差し込み、さらに差込片１１３をスリット１０６に差し込むことによって、外箱の前面側を閉じる。次いで、上部右フラップ１１６、上部左フラップ１２１、上部後フラップ１２６をそれぞれ内側へ折り曲げ、その上から上面板１０８を折り重ね、しかるのち、差込片１０９をスリット１２８に差し込み、差込片１２７をスリット１１０に差し込むことによって、外箱１の上面を閉じる。外箱１を移動するには、両手の指を指掛け穴１１２，１２０に掛けることによって、外箱全体を両手で持ち上げることとなる。
【００３７】
次に、内箱の開放状態を示す斜視図が図３に示されている。同図に示されるように、内箱２の前面板は、左右の稜線間を斜めに横断する斜めヒンジ線２０１を境として、その下部に位置する固定領域２０２とその上部に位置する可動領域２０３とに分割されている。また、前面板の可動領域２０３の上部には、水平ヒンジ線２０４を介して上面版２０５が連設されている。この上面板２０５の自由端縁部には、差込片２０６が、その基部にはスリット２０７が形成されている。
【００３８】
右側面板２０８の中央部には指掛け孔２０９が形成されると共に、上部の前側には上部右フラップ２１１が、上部の後側の内面には係止部２１３を有する右棚部材２１２が突設されている。同様にして、左側面版２１４の中央部には指掛け孔２１５が形成されると共に、その上部前側には上部左フラップ２１６が、上部の後側の内面には係止部２１８を有する左棚部材２１７が突設されている。
【００３９】
右側面板２０８の内面に突設された右棚部材２１２と左側面板２１４の内面に突設された左棚部材２１７とは互いに対向する関係に設定されている。内箱２の背面を閉塞する背面板２１９の上部には、上部後フラップ２２０が連設されるとともに、その基部には差込片２２１及びスリット２２２が形成されている。
【００４０】
内箱用懸吊バー４は、最大吊り下げハンガー数に対応する長さを有する金属製パイプ４０１と、このパイプ４０１の両端に溶接された左右のL字金具４０２，４０３とを有している。これらのL字金具４０２，４０３の垂直部が右差込片４０４及び左差込片４０５として機能する。これらの差込片４０４，４０５は、のちに詳細に説明するように、右棚部材２１２の係止部２１３及び左棚部材２１７の係止部２１８に差し込み固定される。  内箱２を閉じた状態とするには、まず、上部右フラップ２１１、上部左フラップ２１６、および上部後フラップ２２０をそれぞれ内側へ折り曲げ、前面板の可動領域２０３を斜めヒンジ線２０１を軸として回動させつつ内側へ閉じさせ、上面板２０５を水平ヒンジ線２０４を軸として内側へ折り曲げ、内箱２の上面開口を塞ぐ。しかるのち、差込片２０６をスリット２２２へ差込と共に、差込片２２１をスリット２０７に差し込むことによって、上面板２０５をしっかりとロックする。内箱２を移動するには、指掛け孔２０９，２１５に両手の指を掛け、これを両手で持ち上げまたは持ち運ぶこととなる。
【００４１】
外箱に内箱を収納した状態を示す一部破断斜視図が図４に示されている。同図に示されるように、内箱２は外箱１に比べて一回り小さく設計されている。この例にあっては、外箱１の寸法は、５４０（前後方向長）×４５０（左右方向長）×１３００（高さ方向長）となっており、特に、底面から水平切断線１０１までの高さは２５０とされている。これに対して、内箱２の寸法は、５００（前後方向長）×４１０（左右方向長）×１０００（高さ方向長）とされている。なお、いずれも単位はミリメートルである。
【００４２】
そのため、図４に示されるように、内箱２は外箱１にすっぽりと収納される。その結果、この衣類収納装置によれば、外箱１に内箱２を収納した状態では、従前の簡易衣類箱ほぼ１個分のスペースに実質的に２個の簡易衣類箱を収めることができ、引越し業者などにおける倉庫への保管及び引越し現場へのトラック輸送に際して、倉庫の保管スペース及びトラックの荷台スペースを大幅に節減することが出来る。
【００４３】
また、引越し現場となる住居内においては、外箱１に内箱２を収容したままで室内を移動するようにすれば、簡易衣類箱を運ぶための階段の上り下りの労力も半減することに加えて、実際に衣類を収納する段になるまで、外箱１に内箱２を収納したままにしておけば、引越し作業中の室内を無駄に占領することもなくなり、その分だけ作業スペースが確保される。
【００４４】
また、この実施形態においては、図５に示されるように、前面版の可動領域１０３は、前面版の上部から足元に至るまで、垂直ヒンジ線１０４を軸として手前に回動させつつ開放可能であるため、この可動領域１０３を開放することにより、外箱１から内箱２を水平方向手前に引き擦り出すことが可能となるから、女性などの比較的に身長の低い作業者であっても、引越し現場において外箱から内箱を容易に取り出すことが出来る。すなわち、ハンガーに掛けた衣類の出し入れだけを考慮した従前の簡易衣類箱は、前面版の上半分程度しか手前に開かないため、この様な構造の外箱に内箱を収納しようとすると、内箱を一旦持ち上げないと、外箱に収納ないし外箱から取り出すことが困難となる。
【００４５】
加えて、外箱１にくらべ比較的背が低くなる内箱２についても、図３に示されるように、斜めヒンジ線２０１を軸として手前に大きく開くから、ハンガーに掛けた衣類の収納乃至取り出しが容易となる利点もある。
【００４６】
次に、左右の側面板の上縁部内面に突設される棚部材及びそれに設けられた係止部の構造を詳細に説明する。
【００４７】
外箱側の左棚部材の構造を説明するための展開図が図６に示されている。展開状態にある段ボール紙においては、上部左フラップ１２１に隣接して、棚用舌片１３１が存在する。この棚用舌片１３１には、癖付け加工を行うことによって、４本の山折れ線ａ１，ａ２，ａ３，ａ４が形成されている。そして、山折れ線ａ２から山折れ線ａ３へ至る区間が折り畳領域１３１ａとなり、棚用舌片１３１の自由端から山折れ線ａ１に至る区間が折込み領域１３１ｂとなる。
【００４８】
また、展開状態にある段ボール紙とは別部品としてスペーサ板１３２及び補強版１３３が同様な段ボール基材で別に用意される。スペーサ板１３２は、後に詳細に説明するように、図中右下がりのハッチングで示されるスペーサ板領域１３２aに挿入される。同様に、補強版１３３は、図中左下がりのハッチングで示される補強版領域１３３ａに接着固定される。切り抜き孔１３４，１３５は、山折れ線に沿う折り曲げ加工を容易とするための手段である。切り抜き孔１３６は、本発明の要部であり、この切り抜き孔１３６が山折れ線ａ３に掛かって形成されることによって、折り曲げ加工の後に、後述する凹部１３７（凹状係止部）が出現することとなる。
【００４９】
底箱の左右側面版の上縁部に形成された係止部１１８，１２３の説明図が図８に示されている。図６に示された展開状態にある段ボール紙を山折れ線ａ１〜ａ４に沿って折り曲げると、図８に示されるように、折り畳領域１３１ａは左右の側面板の内面に露出する一方、折込み領域１３１ｂは内部に織り込まれる。さらに折込み領域１３１ｂと左右の側面板との間にはスペーサ板１３２が挟み込まれる。
【００５０】
また、左右の側面板の上縁部には、山折れ線ａ３にまたがって形成された切り抜き孔１３６に対応して凹部１３７が出現すると共に、この凹部の底には、スリット１３８が形成される。このスリット１３８を有する凹部１３７が本発明の係止部（凹状係止部）１１８，１２３に相当する。こうして得られた左右のスリット１３８，１３８には、懸吊バー３の左右の差込片３０４，３０５が差し込まれ、これにより懸吊バー３は左右の側面板１１１，１１９間にしっかりと掛け渡される。また、この凹部１３７に沿う内面側には、さらに段ボール製のコの字型補強版１３３が接着固定される。そのため、これらの補強版１３３の作用とも相まって、係止部１１８，１２３（凹状係止部）は、懸吊バー３を構成するパイプ３０１を介して受ける吊り下げ衣類の荷重をしっかりと支えることが出来る。
【００５１】
また、凹部１３７の存在によって、パイプ３０１の上面は、左右の側面板１１１，１１９の上縁部と面一となり、衣類を収納した状態で、上面板１０８をしっかりと閉じることができる。
【００５２】
次に、内箱側の棚部材の構造を説明するための展開図が図７に示されている。同図に示されるように、展開状態にある段ボール紙において、上部左フラップ２１６の隣には、棚用舌片２２１ｂが存在する。この棚用舌片２２１ｂには、２本の山折れ線ａ５，ａ６が形成されている。棚用舌片２２１ｂの自由端から山折れ線ａ５に至る区間が折り畳領域２２１ａとなる。また、切り抜き孔２２２ａは山折れ加工を容易とするためのものであり、切り抜き孔２２３は山折れ線ａ５に跨って形成され、これを折り曲げた際に、先と同様にして係止部２１３，２１８を構成するとなる凹部を形成するためのものである。なお、符号２１６ａは水平ヒンジ線である。この例にあっても、補強版２１９ｂ及びスペーサ板２２０ｂが別部品として設けられており、補強板２１９ｂは図中左下がりのハッチングで示される補強板領域２１９ａに接着され、スペーサ板２２０は図中右下がりのハッチングで示されるスペーサ板領域２２０ａに挟み込まれる。
【００５３】
内箱の左右上縁部に形成された係止部の説明図が図９に示されている。同図示されるように、図７に示される展開状態にある棚用舌片２２１ｂを山折れ線ａ５，ａ６に沿って折り曲げると折り畳み領域２２１ａが左右の側面板の内面側へ露出すると共に、折り畳み領域２２１ａと左右の側面板との間にはスペーサ板２２０ｂが挟み込まれる。また、切り抜き孔２２３に対応する部分には、凹部２２４が出現すると共に、この凹部２２４の底にはスリット２２５が形成される。このスリット２２５を有する凹部２２４が本発明の係止部（凹状係止部）２１３，２１８に相当する。
【００５４】
こうして得られた左右のスリット２２５，２２５には懸吊部材４の左右の差込片４０４，４０５が差し込まれ、これにより、懸吊部材４は左右の側面板２０８，２１４間にしっかり掛け渡されることとなる。なお、この例にあっても、凹部３２４の内側には補強版２１９が接着固定され、支持強度を増大させることとなる。
【００５５】
次に、左右スリット間の距離を外箱の場合（Ｌ１）と内箱の場合（Ｌ２）とで比較して示す説明図が図１０に示されている。同図に示されるように、外箱１と内箱２とではサイズはひと回り異なることから、外箱の左側面板１１９の位置と内箱の左側面板２１４との位置とは異なるが、左右の棚部材の側面板からの突出量が外箱１と内箱２とでは異なることから、外箱の左スリット１３８の位置と内箱側の左スリット２２５の位置は同一とされている。なお、右側の側面板においてもそれぞれ同様である。
【００５６】
そのため、この実施形態においては、外箱側における左右スリット１３８，１３８間の距離Ｌ１と内箱側における左右スリット２２５，２２５間の距離Ｌ２とはほぼ同一とされており、その結果、外箱用懸吊部材３と内箱用懸吊部材４として同一の長さ（同一規格）のものを採用可能となり、製造業者及び販売業者において、外箱と内箱とで異なる規格の懸吊バーを必要とする場合に比べて、在庫の無駄を回避することが出来る。
【００５７】
以上説明した実施形態の衣類収納装置によれば、衣類吊り下げ着数に対応する左右方向長（間口）や衣類の背丈に対応する高さ方向長（丈）のみならず、衣類の肩幅に対応する前後方向長（奥行き）についても外箱１よりも内箱２のほうがひと回り小さくなるように両者のサイズの関係が決められているため、外箱１に内箱２をすっぽりと収容することができる。
【００５８】
そのため、従前の簡易衣類箱ほぼ１個分のスペースに実質的に２個の簡易衣類箱を収めることができ、引越し業者などにおける倉庫への保管及び引越し現場へのトラック輸送に際して、倉庫の保管スペース及びトラックの荷台スペースを大幅に節減することが可能となる。
【００５９】
また、引越し現場となる住居内においては、外箱１に内箱２を収容したままで室内を移動するようにすれば、簡易衣類箱を運び込むための階段の上り下りの労力も半減することに加えて、実際に衣類を収納する段になるまで、外箱１に内箱２に収納したままにしておけば、引越し作業中の室内を無題占有することもなくなり、その分だけ作業スペースが確保されるなどの利点を有するものである。
【産業上の利用可能性】
【００６０】
本発明の衣類収納装置によれば、例えば、外箱よりも内箱の方が一回り小さくなるように両者のサイズ関係を決めておけば、外箱に内箱を収納した状態では、従前の簡易衣類箱ほぼ１個分のスペースに実質的に２個の簡易衣類箱を納めることができ、引っ越し業者等における倉庫への保管及び引っ越し現場へのトラック輸送に際して、倉庫の保管スペース及びトラックの荷台スペースを大幅に節減するすることができる。
【００６１】
また、引っ越し現場となる住居内においては、外箱に内箱を収容したままで室内を移動するようにすれば、簡易衣類箱を運び込むための階段の上り下りの労力も半減することに加えて、実際に衣類を収納する段になるまで、外箱に内箱を収容したままにしておけば、引っ越し作業中の室内を無駄に占有することもなくなり、その分だけ作業スペースが確保される。
【図面の簡単な説明】
【００６２】
【図１】衣類収納装置の分解斜視図である。
【図２】外箱の開放状態を示す斜視図である。
【図３】内箱の開放状態を示す斜視図である。
【図４】外箱に内箱を収納した状態を示す一部破断斜視図である。
【図５】外箱から内箱を取り出す状態を示す説明図である。
【図６】外箱側の左棚部材の構造を説明するための展開図である。
【図７】内箱側の棚部材の構造を説明するための展開図である。
【図８】外箱の左右側面板の上縁部に形成された係止部の説明図である。
【図９】内箱の左右側面板の上縁部に形成された係止部の説明図である。
【図１０】左右スリット間の距離を外箱の場合（L１）と内箱の場合（L２）とで比較して示す説明図である。
【符号の説明】
【００６３】
１  外箱
２  内箱
３  外箱用懸吊バー
４  内箱用懸吊バー
５  作業者
１０１  水平切断線
１０２  前面板の固定領域
１０３  前面板の可動領域
１０４  垂直ヒンジ線
１０５  差込み片
１０６  スリット
１０７  水平ヒンジ線
１０８  上面板
１０９  差込み片
１１０  スリット
１１１  右側面板
１１２  指掛け孔
１１３  差込み片
１１４  スリット
１１５  前部右フラップ
１１６  上部右フラップ
１１７  右棚部材
１１８  係止部
１１９  左側面板
１２０  指掛け孔
１２１  上部左フラップ
１２１ａ  水平ヒンジ線
１２２  左棚部材
１２３  係止部
１２４  結合代
１２５  背面板
１２６  上部後フラップ
１２７  差込片
１２８  スリット
１２９  底板
１３１  棚用舌片
１３１ａ  折り畳み領域
１３１ｂ  折込み領域
１３２  スペーサ板
１３２ａ  スペーサ領域
１３３  補強版
１３３ａ  補強版領域
１３４，１３５，１３６，１３７  切り抜き孔
１３７  凹部
１３８  スリット
２０１  斜ヒンジ線
２０２  前面板の固定領域
２０３  前面板の可動領域
２０４  水平ヒンジ線
２０５  上面板
２０６  差込み片
２０７  スリット
２０８  右側面板
２０９  指掛け孔
２１０  前部右フラップ
２１１  上部右フラップ
２１２  右棚部材
２１３  係止部
２１４  左側面板
２１５  指掛け孔
２１６  上部左フラップ
２１６ａ  水平ヒンジ線
２１７  左棚部材
２１８  係止部
２１８ａ  結合代
２１９  背面板
２１９ａ  補強板領域
２１９ｂ  補強板
２２０  上部後フラップ
２２０ａ  スペーサ領域
２２０ｂ  スペーサ板
２２１  差込み片
２２１ａ  折り畳領域
２２１ｂ  棚用舌片
２２２  スリット
２２２ａ  切り抜き孔
２２３  切り抜き孔
２２４  凹部
２２５  スリット
３０１  パイプ
３０２，３０３  Ｌ字金具
３０４  右差込み片
３０５  左差込み片
４０１  パイプ
４０２，４０３  Ｌ字金具
４０４  右差込み片
４０５  左差込み片
ａ１，ａ２，ａ３，ａ４，ａ５，ａ６  山折れ線
【図１】
2007118976.tif 000003
【図２】
2007118976.tif 000004
【図３】
2007118976.tif 000005
【図４】
2007118976.tif 000006
【図５】
2007118976.tif 000007
【図６】
2007118976.tif 000008
【図７】
2007118976.tif 000009
【図８】
2007118976.tif 000010
【図９】
2007118976.tif 000011
【図１０】
2007118976.tif 000012